(57)【要約】【課題】本発明にかかる風向変更装置は風向を本体ケースにおける背面側へ変更するためには、使用者が手動で回転させる必要がないものである。【解決手段】本発明に係る風向変更装置は、第１の姿勢において、ルーバー５は、水平方向に延びた第１の風向板２４と、第１の風向板２４の下方に所定の距離を有し、第１の風向板２４と平行に延びた第２の風向板２５と、第１の風向板２４と第２の風向板２５との間において第１の風向板２４に対して垂直方向に延びた第３の風向板２６とを有し、ルーバーモータ３１は、ルーバー５を第１の姿勢から仰角方向に第２の姿勢まで往復回動させ、第１の姿勢における第１の風向板２４と、第２の姿勢における第１の風向板２４との成す角度が鈍角であるものという構成としたことにより、第２の姿勢においては、使用者が、手動で風向板の方向を変えることなく、本体ケースにおける背面側へ送風できる風向変更装置を得られる。【選択図】図４
2019158224.tif 000002
【特許請求の範囲】
【請求項１】
上方に開口する送風口を有する本体ケースと、
前記本体ケース内に設けた送風機と、
前記送風口の上方を、前記送風口と所定間隔をおいて覆った回動自在なルーバーと、
前記ルーバーを第１の姿勢から第２の姿勢まで回動させるモーター部とを備え、
前記第１の姿勢において、
前記ルーバーは、
水平方向に延びた第１の風向板と、
前記第１に風向板の下方に所定の距離を有し、前記第１に風向板と平行に延びた第２の風向板と、
前記第１に風向板と前記第２に風向板との間において前記第１に風向板に対して垂直方向に延びた第３の風向板とを有し、
前記モーター部は、
前記ルーバーを前記第１の姿勢から仰角方向に前記第２の姿勢まで往復回動させ、
前記第１の姿勢における前記第１に風向板と、前記第２の姿勢における前記第１の風向板との成す角度が鈍角であることを特徴とする風向変更装置。
【請求項２】
前記第１の姿勢における前記第１の風向板と、前記第１の風向板が成す角度が直角となる第３の姿勢において、
前記送風口と前記第２の風向板との距離は、
前記送風口と前記第１の風向板との距離の距離よりも大きいことを特徴とする請求項１に記載の風向変更装置。
【請求項３】
前記第２の風向板の送風方向における風上側の端部には、前記第２の風向板から前記第１の風向板の方向へ突出した凸部を有し、
前記第１の風向板と前記凸部とが成す外面は、曲面形状であることを特徴とする請求項１または２に記載の風向変更装置。
【請求項４】
前記凸部の先端部は、曲面形状であることを特徴とする請求項３に記載の風向変更装置。
【請求項５】
前記第１の風向板の送風方向における風上側の端部には、前記第１の風向板から前記第２の風向板の方向へ突出した壁部を有することを特徴とする請求項１から４のいずれかに記載の風向変更装置。
【請求項６】
前記壁部における前記第１の風向板から前記壁部の先端までの寸法は、
前記凸部における前記第２の風向板から前記凸部の先端までの寸法より大きいことを特徴とする請求項５に記載の風向変更装置。
【発明の詳細な説明】
【技術分野】
【０００１】
本発明は風向変更装置に関するものである。
【背景技術】
【０００２】
従来の風向変更装置においては、上方に開口する送風口を有する本体ケースと、この本体ケース内に設けた送風手段と、前記送風口の上方を、所定感覚をおいて覆った可動自在のルーバーとを備え、ルーバーには、上下方向に風向を変化させる第１の風向変更手段と左右方向に風向を変化させる第２の風向変更手段とを設け、第１の風向変更手段は、ルーバーの送風先端側に回転自在に装着し、第２の風向変更手段はルーバーの下側に介在自在に装着することを特徴とした風向変更装置が知られている（例えば、特許文献１参照）。
【先行技術文献】
【特許文献】
【０００３】
【特許文献１】特開２０１２−１９３８８５号公報
【発明の概要】
【発明が解決しようとする課題】
【０００４】
このような従来の風向変更装置における課題は、風向を本体ケースにおける背面側へ変更するためには、使用者が第１の風向変更手段の向きを、手動で回転させる必要があった。
【課題を解決するための手段】
【０００５】
そして、この目的を達成するために、本発明の一態様に係る風向変更装置は、上方に開口する送風口を有する本体ケースと、前記本体ケース内に設けた送風機と、前記送風口の上方を、前記送風口と所定間隔をおいて覆った回動自在なルーバーと、前記ルーバーを第１の姿勢から第２の姿勢まで回動させるモータ部とを備え、前記第１の姿勢において、前記ルーバーは、水平方向に延びた第１の風向板と、前記第１に風向板の下方に所定の距離を有し、前記第１に風向板と平行に延びた第２の風向板と、前記第１に風向板と前記第２に風向板との間において前記第１に風向板に対して垂直方向に延びた第３の風向板とを有し、前記モータ部は、前記ルーバーを前記第１の姿勢から仰角方向に前記第２の姿勢まで往復回動させ、前記第１の姿勢における前記第１に風向板と、前記第２の姿勢における前記第１の風向板との成す角度が鈍角であるものとし、これにより所期の目的を達成するものである。
【発明の効果】
【０００６】
使用者が手動で風向板の方向を変えることなく、本体ケースにおける背面側へ送風できる。
【図面の簡単な説明】
【０００７】
【図１】本発明の実施の形態における風向変更装置の斜視図
【図２】同風向変更装置の分解斜視図
【図３】同風向変更装置の概略断面図
【図４】同風向変更装置のルーバー部分の斜視図
【図５】同風向変更装置のルーバー部分の分解斜視図
【図６】同風向変更装置のルーバー部分の動作を説明する断面図
【図７】同風向変更装置のルーバー部分の動作を説明する断面図
【図８】同風向変更装置のルーバー部分の動作を説明する概略図（（ａ）第２の風向板部の送風先端側が広くなるように回動した状態を示す図、（ｂ）第２の風向板部の送風先端側が狭くなるように回動した状態を示す図）
【発明を実施するための形態】
【０００８】
本発明に係る風向変更装置は、上方に開口する送風口を有する本体ケースと、前記本体ケース内に設けた送風機と、前記送風口の上方を、前記送風口と所定間隔をおいて覆った回動自在なルーバーと、前記ルーバーを第１の姿勢から第２の姿勢まで回動させるモータ部とを備え、前記第１の姿勢において、前記ルーバーは、水平方向に延びた第１の風向板と、前記第１に風向板の下方に所定の距離を有し、前記第１に風向板と平行に延びた第２の風向板と、前記第１に風向板と前記第２に風向板との間において前記第１に風向板に対して垂直方向に延びた第３の風向板とを有し、前記モータ部は、前記ルーバーを前記第１の姿勢から仰角方向に前記第２の姿勢まで往復回動させ、前記第１の姿勢における前記第１に風向板と、前記第２の姿勢における前記第１の風向板との成す角度が鈍角であるものという構成を有する。
【０００９】
これにより、第２の姿勢においては、使用者が、手動で風向板の方向を変えることなく、本体ケースにおける背面側へ送風できる。
【００１０】
また、前記第１の姿勢における前記第１の風向板と、前記第１の風向板が成す角度が直角となる第３の姿勢において、前記送風口と前記第２の風向板との距離は、前記送風口と前記第１の風向板との距離の距離よりも大きい構成にしてもよい。
【００１１】
これにより、第２の姿勢において、第２の風向板と、送風口との距離が大きくなるので、第２の風向板の風上側端部で発生する風切り音を抑制できる。
【００１２】
また、前記第２の風向板の送風方向における風上側の端部には、前記第２の風向板から前記第１の風向板の方向へ突出した凸部を有し、前記第１の風向板と前記凸部とが成す外面は、曲面形状であるという構成にしてもよい。これにより、送風口から上方向に吹出した空気が、第２の風向板に当たる面積が大きくなるためレイノルズ数が増加し、カルマン渦を抑制することができると考えられるので、騒音を低減できるという効果がある。
【００１３】
また、前記凸部の先端部は、曲面形状という構成にしてもよい。これにより、送風口から上方へ出た風が凸部の先端部へ衝突する面を減少させることとなるので、騒音を低減できるという効果がある。
【００１４】
また、前記第１の風向板の送風方向における風上側の端部には、前記第１の風向板から前記第２の風向板の方向へ突出した壁部を有する構成として。これにより、送風口から上方向に吹出した空気が、第１の風向板に当たる面積が大きくなるためレイノルズ数が増加し、カルマン渦を抑制することができるので、騒音を低減できるという効果がある。
【００１５】
また、前記壁部における前記第１の風向板から前記壁部の先端までの寸法は、前記凸部における前記第２の風向板から前記凸部の先端までの寸法より大きいという構成にしてもよい。これにより、第１の姿勢時に、第２の風向板と送風口の距離が最も近くなる面積を抑制することができるので、第１の姿勢時の騒音を減少でき、送風口から吹き出す空気を第１の風向板の壁部によって本体ケースにおける前面側へ送風し易くなる。
【００１６】
以下、本発明の実施の形態について図面を参照しながら説明する。
【００１７】
（実施の形態１）
図１は本発明の実施の形態における風向変更装置の斜視図であり、図２は概略構成を示す分解斜視図を、図３には水平面における概略断面図を示す。
【００１８】
図１、図２、図３に示すように、本実施形態の風向変更装置は、縦長箱形状の本体ケース１の前面に吸込口２を設け、本体ケース１の上面の前面側には操作部３を、本体ケース１の上面の背面側には送風口４を有している。使用者は、操作部３を操作することで風向変更装置の操作および運転モードの確認をすることができる。送風口４の上方には、回動自在なルーバー５を備えている。本体ケース１の背面側下方には、貯水部６が出没自在に設けられており、本体ケース１内で生成された除湿水を貯水する。
【００１９】
本体ケース１内には、除湿ロータ部７と、再生ユニット８と、送風機９とを備えている。
【００２０】
除湿ロータ部７は、除湿ロータ１０と、支持枠１１と、モータ１２とを有している。
【００２１】
除湿ロータ１０は、円板形状で、回転軸が水平方向に延びるように、支持枠１１に回動自在に設けられている。除湿ロータ１０は、吸着材が担持された軸方向に通風可能なハニカム形状で構成されており、この吸着材は、晒される空気の相対湿度が高ければ多くの水分を保持でき、相対湿度が低くなると保持可能な水分量が減少する特性を有している。このように、相対湿度の異なる複数の空気との接触を繰り返せば、各々の相対湿度における吸着材の保持可能な水分量の差に応じて水分の吸脱着が行われることになる。除湿ロータは、空気中の水分を除湿ロータ１０に吸着する吸湿領域１０ａと、除湿ロータ１０に吸着した水分を放出する放湿領域１０ｂとを有する。除湿ロータ１０の外周には、多数の歯１０ｃを有している。
【００２２】
支持枠１１は、本体ケース１における前面側と背面側とを仕切るように配置され、中央部には、円形の開口１１ａを有している。除湿ロータ１０は、本体ケース１における背面と支持枠１１との間に配置され、支持枠１１の開口１１ａを塞ぐように、回動自在に設けられている。
【００２３】
モータ１２は、支持枠１１に固定され、歯車１２ａを有し、歯車１２ａは、除湿ロータ１０外周から突出した多数の歯１０ｃと接触する。モータ１２が駆動すると歯車１２ａが回転し、この歯車１２ａによって除湿ロータ１０も回転する。
【００２４】
再生ユニット８は、除湿ロータ１０における放湿領域１０ｂの一方側面（本体ケースにおける前面側）と、除湿ロータ１０における放湿領域１０ｂの他方側面（本体ケースにおける背面側）と連通する循環風路１３と、循環風路１３内に設けた、発熱部１４と、熱交換器１５と、循環送風機１６とを有する。
【００２５】
発熱部１４は、除湿ロータ１０における放湿領域１０ｂの一方側面（本体ケースにおける背面側）に配置されている。発熱部１４は、ニクロム線などの通電発熱する材料で構成され、発熱することにより除湿ロータ１０の放湿領域１０ｂにおいて、除湿ロータ１０から水分を放出させている。
【００２６】
熱交換器１５は、除湿ロータ１０の放湿領域１０ｂから放出した水分を含む再生空気と、送風機９が供給する室内空気とを熱交換して水分を凝縮する。熱交換器１５は、本体ケース１における前面と支持枠１１との間に、除湿ロータ１０と水平方向に隣り合うように配置されている。
【００２７】
循環送風機１６は、モータ１６ａと羽根車１６ｂを組み合わせた、いわゆるシロッコファンとして構成し、循環風路１３内で空気の循環を行っている。循環送風機１６は、循環風路１３における発熱部１４と熱交換器１５との間に配置されている。循環送風機１６から送風された空気は、発熱部１４、除湿ロータ１０における放湿領域１０ｂ、熱交換器１５を順次介して、循環送風機１６に吸い込まれる。
【００２８】
送風機９は、本体ケース１における背面と支持枠１１との間に配置されている。送風機９は、モータ部９ａと、モータ部９ａにより回転するファン部９ｂと、それらを囲むスクロール形状のケーシング部９ｃとを備えている。
【００２９】
モータ部９ａは、ケーシング部９ｃに固定されている。
【００３０】
ファン部９ｂは、シロッコファンで、モータ部９ａから水平方向に延びた回転軸（図示せず）に固定されている。モータ部９ａの回転軸は、本体ケース１の前面側から背面側に延びている。
【００３１】
ケーシング部９ｃには、吐出口１７と吸気口１８とが設けられている。吐出口１７は、ケーシング部９ｃの本体ケース１における上面側に設けられている。また、吸気口１８は、ケーシング部９ｃの本体ケース１における前面側に設けられている。ケーシング部９ｃは、モータ部９ａを固定し、吸気口１８が設けられた吸込面部分１９と、吸込面部分１９に対向した吸込対向面部分２０と、吸込面部分１９と吸込対向面部分２０とを連結するスクロール形状のスクロール面部分２１とを有している。モータ部９ａによって、ファン部９ｂが回転すると、ケーシング部９ｃの吸気口１８からケーシング部９ｃ内に空気が吸い込まれ、この吸い込まれた空気は、吐出口１７からケーシング部９ｃ外へ送風される。
【００３２】
本体ケース内には、除湿風路２２と、冷却風路２３と有している。
【００３３】
除湿風路２２は、本体ケース１の吸込口２と、除湿ロータ１０の吸湿領域１０ａと、送風機９とを連通する風路である。本体ケース１の吸込口２から吸い込んだ空気の水分は、除湿ロータ１０の吸湿領域１０ａで、除湿ロータ１０に吸着され、除湿される。冷却風路２３は、本体ケース１の吸込口２と、熱交換器１５と、送風機９とを連通する風路である。本体ケース１の吸込口２から吸い込んだ空気によって、熱交換器１５が冷却される。除湿風路２２と冷却風路２３とを通過したそれぞれの空気は、送風機９で混合され、送風口４から本体ケース外へ送風される。
【００３４】
以上の構成における除湿動作について説明する。送風機９により吸込口２から室内空気を吸引し、除湿ロータ１０の吸湿領域１０ａに水分を吸湿させ、除湿された空気を乾燥空気として送風口４から室内に送風する（除湿風路）。除湿ロータ１０に吸湿された水分は、除湿ロータ１０の回転駆動により放湿領域１０ｂに移動し、発熱部１４の加熱により循環風路１３に放出される。循環風路１３では循環送風機１６の送風により、除湿ロータ１０の放湿領域１０ｂから送出した高温多湿の空気は、熱交換器１５に送風される。熱交換器１５では循環風路１３と送風機９により本体ケース１内に吸引され、熱交換器１５を冷却する冷却風路２３とが熱交換を行い、循環風路１３の高温多湿空気は冷却され水分が凝縮し結露水として貯水部６に回収される。熱交換器１５を冷却し、温度が上昇した冷却風路２３の空気は、送風機９により、除湿風路２２の空気と混合され送風口４から室内に送風される。このように、室内空気の除湿動作がなされている。
【００３５】
図４は、本発明の実施形態１の風向変更装置のルーバー５の斜視図である。図１、図４に示すように、本実施形態における特徴は、ルーバー５である。本体ケース１上方に開口する横長四角形状の送風口４を有し、この送風口４の上方に、ルーバー５が備えてある。このルーバー５は、ルーバーモータ３１によって上下に往復回動し、送風口４から吹出す空気の風向を変化させている。このルーバー５は、上下方向に風向を変化させる第１の風向板２４と第２の風向板２５を有し、さらに第１の風向板２４と第２の風向板２５の間には左右方向に風向を変化させる複数の第３の風向板２６を有している。
【００３６】
図５は、ルーバー５の分解斜視図である。図４および図５に示すとおり、第２の風向板２５は、第１の風向板２４に装着されている。第３の風向板２６は、第１の風向板２４と第２の風向板２５に装着されている。第１の風向板２４がルーバーモータ３１により回動すると、第２の風向板２５も回動し、第３の風向板２６はあらゆる位置に置いて左右方向へ風向を調整することができる。
【００３７】
図６は、ルーバー５の断面図であり、ルーバー５の第１の風向板２４が、水平方向に延びた第１の姿勢である。図７は、ルーバー５の断面図であり、ルーバーモータ３１によって、ルーバー５を第１の姿勢から仰角方向に第２の姿勢まで往復回動させ、第１の姿勢における第１に風向板と、第２の姿勢における第１の風向板２４との成す角度が鈍角となった第２の姿勢である。
【００３８】
ルーバー５が、第２の姿勢のとき、本体ケース１における後ろ側付近の送風口４から送風された空気は、第１の風向板２４の上面２４ａに当たり、第１の風向板２４に沿って風向きが背面方向に変化する。また、本体ケース１における前側付近の送風口４から送風された空気は、第２の風向板２５の上面２５ａにあたり、第１の風向板２４に沿って風向きが背面方向に変化する。すなわち、送風機によって、本体ケース１の送風口４から上方向に吹出した空気が第１の風向板２４と第２の風向板２５にあたり、上下方向に風向が変化する。そして、第１の風向板２４と第２の風向板２５の間を通った風は第３の風向板２６に沿って風向きを自在に左右方向へ変化させることができる。結果として、風向変更装置の左右、上下方向、更に本体ケース１における前面側から背面側まで風向調節を向上することができる。
【００３９】
更に、第１の風向板２４について詳しく説明すると、図５、図７に示すとおり、第１の風向板２４は、壁部２７と、第１の風向板支持部２８と、第３の風向板軸受部２９とを備えている。
【００４０】
第１の風向板２４は、本体ケース１における左右方向に長い長方形の平板であり、この平板の周縁には、第１の風向板２４に対して直角下方に延びた壁部２７を有している。これにより、特に第２の姿勢において、送風口４から上方向に吹出した空気が、第１の風向板２４に当たる面積が大きくなるためレイノルズ数が増加し、カルマン渦を抑制することができると考えられるので、騒音を低減できるという効果がある。
【００４１】
第１の風向板支持部２８は、第１の風向板２４における両短辺から延びた壁部２７から、更に、第１の風向板２４に対して直角下方に延びた平板である。第１の風向板支持部２８の平板の外面から、ルーバー５の外側に延びた円柱形状のルーバー軸部３０を備えている。このルーバー軸部３０にルーバーモータ３１を装着することで、第１の風向板２４は、ルーバーモータ３１によって回動することができる。
【００４２】
第３の風向板軸受部２９は、後述する第３の風向板２６の支持部２６ａを挿入することで第３の風向板２６と連結し回動させることができる。
【００４３】
第２の風向板２５は、第２の風向板支持部３４と、第３の風向板軸部３５と、第４の風向板３８と、凸部３９と、を備えている。
【００４４】
第２の風向板２５は、本体ケース１の左右方向に長い長方形の平板であり、短辺は第１の風向板２４の短辺よりも短く、長辺は第１の風向板２４の長辺とほぼ同じ長さである。さらに、第２の風向板２５は、第１の風向板２４と一体化するために、第２の風向板支持部３４を備えている。なお、第２の風向板２５は長方形ではなく長手方向を波状にしてもよい。
【００４５】
ここで、第１の姿勢における第１の風向板２４と、第１の風向板２４が成す角度が直角となる第３の姿勢において、送風口４と第２の風向板２５との距離は、送風口４と第１の風向板２４との距離の距離よりも大きい構成にしてもよい。これにより、第２の姿勢において、第２の風向板２５と、送風口４との距離が大きくなるので、第２の風向板２５の風上側端部で発生する風切り音を抑制できる。
【００４６】
第２の風向板支持部３４は、第２の風向板２５における両方の短辺から、第１の風向板２４へ延びた板形状である。第２の風向板支持部３４は、第１の風向板２４と第２の風向板２５とに対して垂直に設けられている。第２の風向板支持部３４の先端が、第１の風向板２４における第２の風向板２５に対向した面に、固定されている。
【００４７】
第３の風向板軸部３５は、第２の風向板２５における第１の風向板２４に対向した面に設けられ、後述する第３の風向板２６の軸穴部２６ｂに回動自在に挿入される円柱形状の突起である。この突起は、第２の風向板２５に対して垂直に延びている。
【００４８】
第４の風向板３８は、第１の風向板２４と第２の風向板２５との間に配置されている。第４の風向板３８は、第１の風向板２４と第２の風向板２５とを連結する平板である。第４の風向板３８は、本体ケース１における左右方向の右側に傾いている。
【００４９】
凸部３９は、第２の風向板２５における送風方向の風上側の長辺から第１の風向板２４側に延びた突起である。これにより、第２の姿勢において、送風口４から上方向に吹出した空気が、第２の風向板２５に当たる面積が大きくなるためレイノルズ数が増加し、カルマン渦を抑制することができると考えられるので、騒音を低減できるという効果がある。
【００５０】
凸部３９の構成について詳しく説明する。凸部３９は第２の風向板２５の風上側端部に、第１の風向板２４と第２の風向板２５に対し垂直に設けられ、長手方向に連続して延びており、凸部３９の風上側は曲面になって構成されている。これにより、送風口４から上方へ出た風が凸部３９の先端部へ衝突する面を減少させることとなるので、騒音を低減できるという効果がある。なお、凸部３９は連続させず、不連続に複数個設けてもよい。これにより、送風口４から出た風が第２の風向板２５に衝突して発生する笛音を減少させることができる。
【００５１】
これらにより、送風口４から送風された空気を、第１の風向板２４と第２の風向板２５がとらえ、ルーバーモータ３１の回動にあわせて任意の向きに送風させることができる。
【００５２】
なお、図６に示すとおり、壁部２７における第１の風向板２４から壁部２７の先端までの寸法は、凸部３９における第２の風向板２５から凸部３９の先端までの寸法より大きいという構成にしてもよい。これにより、第１の姿勢のときに、本体ケース１における背面側の壁部２７によって、第１の風向板２４の下面２４ｂに当たった空気が、本体ケース１における背面側へ漏れにくくなり、本体ケース１における前面側へ流れ易くなる。更に、凸部３９における第２の風向板２５から凸部３９の先端までの寸法は、壁部２７における第１の風向板２４から壁部２７の先端までの寸法より小さいので、第１の風向板２４と第２の風向板２５との間に空気が入りやすくなる。
【００５３】
図５および図７に示すとおり、第３の風向板２６は、第３の先端側風向板部分３６と第３の根元側風向板部分３７から構成され、第１の風向板２４と第２の風向板２５との間に回動自在に設けられている。
【００５４】
具体的には、第３の風向板２６は第１の風向板２４と第２の風向板２５と垂直に位置し、四角形を組み合わせた形状の一部局面を持つ平板で、長手方向の先端側の第３の先端側風向板部分３６は下端側の第３の根元側風向板部分３７よりも面積が大きく、第１の風向板２４側に延び、第１の風向板２４の第３の風向板軸受部２９に挿入される円柱形状の支持部２６ａと、第２の風向板２５から延びた第３の風向板軸部３５を挿入するための軸穴部２６ｂを持つ。また、第３の風向板２６は左右方向にそれぞれ２枚以上で構成され、かつ連結棒４０によって左右方向がそれぞれ連結されている。連結棒４０は第１の風向板２４および第２の風向板２５と平行になるように配置されている。連結棒４０との接合部は軸支されており、連結された２枚以上の第３の風向板２６を連動させて回動自在に動作させる構成とする。
【００５５】
第３の風向板２６について詳しく説明する。第３の先端側風向板部分３６は第１の風向板２４における、先端側の第１の先端側風向板部分３２の下側に位置し、第３の根元側風向板部分３７は第１の風向板２４における、根元側の第１の根元側風向板部分３３の上側に位置する。また、第３の先端側風向板部分３６は四角形の曲面形状をしており、ルーバー５の左側に設置してあるものは左端方向へ湾曲し、右側に設置してあるものは右端方向へ湾曲させる。これにより、左右方向の風向調整を更に向上させることができる。
【００５６】
図８（ａ）に示すとおり、第３の風向板２６をルーバー先端側が広くなるように回動させると、空気の流れを示した矢印の通り、送風口４から送風された空気が、まず第３の根元側風向板部分３７に捉えられ、本体ケース１における左右方向に送られ、幅が広く面積が大きい第３の先端側風向板部分３６に捉えられ、湾曲した面で加速的に左右に幅広く送風が可能になる。本発明の風向変更装置を用いて洗濯物を乾燥した場合、特に衣類量が多い場合に有用である。
【００５７】
また、図８（ｂ）に示すとおり、第３の風向板２６をルーバー先端側が狭くなるように回動させると、空気の流れを示した矢印の通り、送風口４から送風された空気が、第３の根元側風向板部分３７に捉えられ、中央に寄せられ、湾曲した面で整流し、抵抗なく強い風を集中的に送風することが可能になる。本発明の風向変更装置を用いて洗濯物を乾燥させる場合、少量の衣類をすばやく乾かす場合に有用である。
【００５８】
ここで、図６および図７を用い、ルーバー５に装着された第１の風向板２４と第２の風向板２５と第３の風向板２６の動作について詳しく説明する。
【００５９】
図６のとき、送風口４から送風された空気は、まず第１の風向板２４の下部に当たり、第１の風向板２４に沿って風向きが下方向に変化する。次に第１の風向板２４と第２の風向板２５の間を通り、第３の根元側風向板部分３７にあたり、第３の風向板２６の湾曲に沿って整流するため、風向きを左右方向に変化させることができる。本発明の風向変更装置を用いた場合、靴やマットなど床面に近いものを乾かす場合に有用である。
【００６０】
図６はルーバー５がルーバー軸部３０を中心に回動し、送風口４に対し９０度以上回転し保持された場合のルーバー部分の断面図である。このとき、本体ケース１における後ろ側付近の送風口４から送風された空気は、第１の風向板２４の下部に当たり、第１の風向板２４に沿って風向きが上方向に変化する。一方、本体ケース１における前側付近の送風口４から送風された空気は、第２の風向板２５の下部にあたる。次に第１の風向板２４と第２の風向板２５の間を通り、第３の根元側風向板部分３７にあたり、第３の風向板２６の湾曲に沿って整流するため、風向き左右方向に変化させることができる。本発明の風向変更装置を用いて洗濯物を乾燥する場合、本体ケース１の真上に置いた衣類に送風することができ、少ない空間で衣類を乾かすことができるため、脱衣所など狭い部屋で乾燥する場所に有用である。
【００６１】
結果として、送風口４から送風された空気を、ルーバーモータ３１の回動によりルーバー５が上下に移動するのにあわせて、第１の風向板２４と第２の風向板２５が上下方向に風向を変化させることができるため、上下方向の風向調整が向上することができる。また、第３の風向板２６が左右方向に風向きを変化させることができるため、左右方向の風向調整を向上することできるものである。
【産業上の利用可能性】
【００６２】
本発明にかかる風向変更装置は、家庭用や事務所用などの、除湿機などの空調装置の吹出口に使用される風向変更装置として活躍が期待されるものである。
【符号の説明】
【００６３】
１    本体ケース
２    吸込口
３    操作部
４    送風口
５    ルーバー
６    貯水部
７    除湿ロータ部
８    再生ユニット
９    送風機
９ａ    モータ部
９ｂ    ファン部
９ｃ    ケーシング部
１０    除湿ロータ
１０ａ    吸湿領域
１０ｂ    放湿領域
１０ｃ    歯
１１    支持枠
１１ａ    開口
１２    モータ
１２ａ    歯車
１３    循環風路
１４    発熱部
１５    熱交換器
１６    循環送風機
１６ａ    モータ
１６ｂ    羽根車
１７    吐出口
１８    吸気口
１９    吸込面部分
２０    吸込対向面部分
２１    スクロール面部分
２２    除湿風路
２３    冷却風路
２４    第１の風向板
２４ａ    上面
２４ｂ    下面
２５    第２の風向板
２５ａ    上面
２６    第３の風向板
２７    壁部
２８    第１の風向板支持部
２９    第３の風向板軸受部
３０    ルーバー軸部
３１    ルーバーモータ
３２    第１の先端側風向板部分
３３    第１の根元側風向板部分
３４    第２の風向板支持部
３５    第３の風向板軸部
３６    第３の先端側風向板部分
３７    第３の根元側風向板部分
３８    第４の風向板
３９    凸部
４０    連結棒
【図１】
2019158224.tif 000003
【図２】
2019158224.tif 000004
【図３】
2019158224.tif 000005
【図４】
2019158224.tif 000006
【図５】
2019158224.tif 000007
【図６】
2019158224.tif 000008
【図７】
2019158224.tif 000009
【図８】
2019158224.tif 000010